(57)【要約】【課題】  比較的低予算で出品できる懸賞サイト提供する。【解決手段】  懸賞サービス提供サーバ４は、懸賞出品者ＰＣ６＿１〜６＿ｎからの要求に応じて懸賞サイトを作成する。そして、懸賞応募期間後に、当選者が決定すると、懸賞サービス提供サーバ４から懸賞サービス提供サーバ４に当選者情報を提供する。懸賞出品者は、その後、取得した落選者のアドレス数を指定した要求を懸賞サービス提供サーバ４に送信し、これらを取得する。このとき、懸賞出品者は、取得したアドレス数に応じた金額を支払う。【選択図】  図１
2011100406.tif 000002
【特許請求の範囲】
【請求項１】
懸賞応募要求を受信する応募要求受信工程と、
前記受信工程で受信した前記懸賞応募要求に対応した電子メールアドレスを保存するアドレス保存工程と、
応募期間が経過した場合に、前記懸賞応募要求を出した応募者のなかから当選者を決定する当選者決定工程と、
前記当選者決定工程で決定した前記当選者に商品を送るために必要な情報を、懸賞品の出品者に提供する情報提供工程と、
アドレス要求を前記出品者から受信するアドレス要求受信工程と、
前記懸賞応募要求を受信したユーザのうち前記当選者とならなかった応募者のなかで、前記アドレス要求受信工程で受信したアドレス要求で示される数の応募者の前記電子メールアドレスを特定し、これを前記出品者に提供するアドレス提供工程と、
前記アドレス提供工程でのアドレス提供に対して前記出品者に課金処理する課金工程と
を有する懸賞サービス提供方法。
【請求項２】
前記応募要求受信工程で受信した前記懸賞応募要求に応じて、懸賞応募回数が所定数以下であるか否かを判断する応募回数判断工程
をさらに有し、
前記当選者決定工程は、前記応募回数判断工程で懸賞応募回数が所定数以下であると判断された応募者のなかから前記当選者を決定する
請求項１に記載の懸賞サービス提供方法。
【請求項３】
受信した懸賞応募要求に対応した電子メールアドレスを保存するアドレス保存手段と、
応募期間が経過した場合に、前記懸賞応募要求を出した応募者のなかから当選者を決定する当選者決定手段と、
前記当選者決定手段で決定した前記当選者に商品を送るために必要な情報を、懸賞品の出品者に提供する情報提供手段と、
前記懸賞応募要求を受信したユーザのうち前記当選者とならなかった応募者のなかで、受信したアドレス要求で示される数の応募者の前記電子メールアドレスを特定し、これを前記出品者に提供するアドレス提供手段と、
前記アドレス提供手段のアドレス提供に対して前記出品者に課金処理する課金手段と
を有する懸賞サービス提供装置。
【請求項４】
懸賞応募要求を受信する応募要求受信手順と、
前記受信手順で受信した前記懸賞応募要求に対応した電子メールアドレスを保存するアドレス保存手順と、
応募期間が経過した場合に、前記懸賞応募要求を出した応募者のなかから当選者を決定する当選者決定手順と、
前記当選者決定手順で決定した前記当選者に商品を送るために必要な情報を、懸賞品の出品者に提供する情報提供手順と、
アドレス要求を前記出品者から受信するアドレス要求受信手順と、
前記懸賞応募要求を受信したユーザのうち前記当選者とならなかった応募者のなかで、前記アドレス要求受信手順で受信したアドレス要求で示される数の応募者の前記電子メールアドレスを特定し、これを前記出品者に提供するアドレス提供手順と、
前記アドレス提供手順でのアドレス提供に対して前記出品者に課金処理する課金手順と
をコンピュータに実行させるプログラム。
【発明の詳細な説明】
【技術分野】
【０００１】
本発明は、懸賞サービス提供方法、その装置、並びにそのプログラムに関するものである。
【背景技術】
【０００２】
近年、Ｗｅｂサーバに懸賞処理機能を持たせた懸賞サイトに、ユーザが携帯電話やパーソナルコンピュータからアクセスして懸賞応募ができるシステムがある。
出品者は、懸賞に出品することで、その商品に興味がある潜在顧客の情報を得ることができる。
【発明の開示】
【発明が解決しようとする課題】
【０００３】
ところで、従来の懸賞サイトでは、出品者は、出品に際して懸賞サイトの管理者に数十万円という金銭を支払い、懸賞によって取得した全ての応募者に関する情報を得る。
しかしながら、上述した従来の懸賞サイトでは、懸賞に出品するための費用が高額であると問題がある。
また、懸賞によって得た応募者の情報のうち、全ての情報が必要ではなく、所定数の応募者の情報のみで十分であるという場合もある。
【０００４】
本発明は、かかる事情に鑑みてなされたものであり、その目的は、比較的低予算で出品できる懸賞サイト提供することにある。
【課題を解決するための手段】
【０００５】
上述した従来技術の問題を解決し、上述した目的を達成するために、本発明の懸賞サービス提供方法は、懸賞応募要求を受信する応募要求受信工程と、前記受信工程で受信した前記懸賞応募要求に対応した電子メールアドレスを保存するアドレス保存工程と、応募期間が経過した場合に、前記懸賞応募要求を出した応募者のなかから当選者を決定する当選者決定工程と、前記当選者決定工程で決定した前記当選者に商品を送るために必要な情報を、懸賞品の出品者に提供する情報提供工程と、アドレス要求を前記出品者から受信するアドレス要求受信工程と、前記懸賞応募要求を受信したユーザのうち前記当選者とならなかった応募者のなかで、前記アドレス要求受信工程で受信したアドレス要求で示される数の応募者の前記電子メールアドレスを特定し、これを前記出品者に提供するアドレス提供工程と、前記アドレス提供工程でのアドレス提供に対して前記出品者に課金処理する課金工程とを有する。
【０００６】
また、本発明の懸賞サービス提供装置は、受信した懸賞応募要求に対応した電子メールアドレスを保存するアドレス保存手段と、応募期間が経過した場合に、前記懸賞応募要求を出した応募者のなかから当選者を決定する当選者決定手段と、前記当選者決定手段で決定した前記当選者に商品を送るために必要な情報を、懸賞品の出品者に提供する情報提供手段と、前記懸賞応募要求を受信したユーザのうち前記当選者とならなかった応募者のなかで、受信したアドレス要求で示される数の応募者の前記電子メールアドレスを特定し、これを前記出品者に提供するアドレス提供手段と、前記アドレス提供手段のアドレス提供に対して前記出品者に課金処理する課金手段とを有する。
【０００７】
また、本発明のプログラムは、懸賞応募要求を受信する応募要求受信手順と、前記受信手順で受信した前記懸賞応募要求に対応した電子メールアドレスを保存するアドレス保存手順と、応募期間が経過した場合に、前記懸賞応募要求を出した応募者のなかから当選者を決定する当選者決定手順と、前記当選者決定手順で決定した前記当選者に商品を送るために必要な情報を、懸賞品の出品者に提供する情報提供手順と、アドレス要求を前記出品者から受信するアドレス要求受信手順と、前記懸賞応募要求を受信したユーザのうち前記当選者とならなかった応募者のなかで、前記アドレス要求受信手順で受信したアドレス要求で示される数の応募者の前記電子メールアドレスを特定し、これを前記出品者に提供するアドレス提供手順と、前記アドレス提供手順でのアドレス提供に対して前記出品者に課金処理する課金手順とをコンピュータに実行させる。
【発明の効果】
【０００８】
本発明によれば、比較的低予算で出品できる懸賞サイト提供することができる。
【発明を実施するための最良の形態】
【０００９】
以下、本発明の実施形態に係るネットワークシステムについて説明する。
図１は、本発明の実施形態に係るネットワークシステム１の全体構成図である。
図１に示すように、ネットワークシステム１では、インタネット等のネットワーク９を介して、懸賞サービス提供サーバ４、懸賞出品者ＰＣ６＿１〜６＿ｎ、懸賞応募者ＰＣ８＿１〜８＿ｍが接続されている。ここで、ｎ，ｍの数は任意である。
【００１０】
懸賞サービス提供サーバ４が本発明の懸賞サービス提供装置の一例である。
【００１１】
懸賞サービス提供サーバ４は、懸賞サービスを提供するサーバである。
懸賞サービス提供サーバ４は、懸賞出品者ＰＣ６＿１〜６＿ｎからの要求に応じて、懸賞出品者が提供する商品の懸賞ページを作成する。
また、懸賞サービス提供サーバ４は、懸賞応募者ＰＣ８＿１〜８＿ｍからの懸賞応募要求に応じて、懸賞の当選処理を行う。
【００１２】
図２は、図１に示す懸賞サービス提供サーバ４の構成図である。
図２に示すように、懸賞サービス提供サーバ４は、例えば、インタフェース２１、ディスプレイ２３、操作部２５、ＨＤＤ２７、メモリ２９およびＣＰＵ３１を有し、これらがバス２０を介して接続されている。
【００１３】
インタフェース２１は、図１に示すネットワーク９を介して、懸賞出品者ＰＣ６＿１〜６＿ｎおよび懸賞応募者ＰＣ８＿１〜８＿ｍと通信を行うために用いられる。
ディスプレイ２３は、ＣＰＵ３１が実行する管理プログラムＰＲＧが提供する様々な画面を表示する。
【００１４】
操作部２５は、キーボードやマウス等の操作手段である。
ＨＤＤ２７は、ＣＰＵ３１の処理に用いられる様々なプログラムやデータを記憶する。
メモリ２９は、ＨＤＤ２７から読み出されたプログラム、ＣＰＵ３１の処理に用いられるデータを一時的に記憶する。
ＣＰＵ３１は、管理プログラムＰＲＧを実行して、懸賞サービス処理を統括的に制御する。
【００１５】
以下、懸賞サービス提供サーバ４の処理を例示する。
以下に示す懸賞サービス提供サーバ４の処理は、管理プログラムＰＲＧに基づいたＣＰＵ３１の処理によって実現される。
［懸賞出品者新規登録］
懸賞出品希望者が、懸賞出品者ＰＣ６＿１〜６＿ｎを操作して、ネットワーク９を介して懸賞サービス提供サーバ４にアクセスを行う。
懸賞サービス提供サーバ４は、懸賞出品者ＰＣ６＿１〜６＿ｎから出品者新規登録要求を受けると、図３に示す出品者新規登録画面を懸賞出品者ＰＣ６＿１〜６＿ｎのディスプレイに表示させる。
懸賞出品希望者は、懸賞出品者ＰＣ６＿１〜６＿ｎのディスプレイに表示された図３に示す出品者新規登録画面を見ながら、各項目に個人情報等を入力する。
懸賞サービス提供サーバ４は、上記入力された懸賞出品希望者の個人情報を登録する。
なお、本実施形態において、懸賞出品登録の費用は無料である。
【００１６】
［懸賞出品処理］
図４は、懸賞出品処理を説明するためのフローチャートである。
懸賞出品希望者が、懸賞出品者ＰＣ６＿１〜６＿ｎを操作して、ネットワーク９を介して懸賞サービス提供サーバ４にアクセスを行う（ステップＳＴ１１）
懸賞サービス提供サーバ４は、懸賞出品者ＰＣ６＿１〜６＿ｎから出品要求を受けると、図５に示す出品者ログイン画面を懸賞出品者ＰＣ６＿１〜６＿ｎのディスプレイに表示させる（ステップＳＴ１２）。
【００１７】
懸賞出品希望者は、懸賞出品者ＰＣ６＿１〜６＿ｎのディスプレイに表示された図５に示す出品者ログイン画面上で、ログインＩＤおよびパスワードを入力する。
懸賞出品者ＰＣ６＿１〜６＿ｎは、上記入力されたログインＩＤおよびパスワードを照合し、正当であると判断すると、図６に示す出品商品登録画面を懸賞出品者ＰＣ６＿１〜６＿ｎのディスプレイに表示させる（ステップＳＴ１３）。
懸賞出品希望者は、懸賞出品者ＰＣ６＿１〜６＿ｎのディスプレイに表示された図６に示す出品商品登録画面上で、商品販売ページＵＲＬ、商品名、商品説明、商品画像等の情報を入力する。
懸賞サービス提供サーバ４は、上記入力された情報を登録する（ステップＳＴ１４）。
これにより、懸賞サービス提供サーバ４が提供する懸賞サイトのページに、上記出品要求で指定された商品が懸賞品として表示される。
なお、本実施形態において、懸賞出品の費用は無料である。
【００１８】
［懸賞応募］
図７および図８は、懸賞応募時の懸賞サービス提供サーバ４の処理を説明するためのフローチャートである。
ステップＳＴ２１：
懸賞応募者は、懸賞応募者ＰＣ８＿１〜８＿ｍを操作して、懸賞サービス提供サーバ４にアクセスする。
【００１９】
ステップＳＴ２２：
懸賞サービス提供サーバ４は、懸賞商品のランキング画面を表示する。
当該ランキング画面には、例えば、複数の懸賞品に対しての当選確率ランキング、人気ランキング、注目ランキング等が表示される。
【００２０】
ステップＳＴ２３：
懸賞サービス提供サーバ４は、ステップＳＴ２１のアクセスに応じて、応募者が既に登録されているユーザであるか否かを判断し、登録されていない場合は、登録処理を行う。
【００２１】
ステップＳＴ２４：
懸賞サービス提供サーバ４は、懸賞応募者登録画面を懸賞応募者ＰＣ８＿１〜８＿ｍに表示させ、懸賞応募者の個人情報等を入力させ、登録する。
【００２２】
ステップＳＴ２５：
懸賞応募者は、懸賞応募者ＰＣ８＿１〜８＿ｍを操作して、懸賞応募要求を懸賞サービス提供サーバ４に送信する。
【００２３】
ステップＳＴ２６：
懸賞サービス提供サーバ４は、ステップＳＴ２５で受信した懸賞応募要求と応募履歴情報とを基に、応募者の応募回数が所定の回数を超えていないか判断する。
懸賞サービス提供サーバ４は、懸賞回数を超えていないと判断すると、
ステップＳＴ２８に進み、そうでない場合にはステップＳＴ２７に進む。
ステップＳＴ２７：
懸賞サービス提供サーバ４ｈあ、応募回数が所定回数を超えており、応募できない旨を懸賞応募者ＰＣ８＿１〜８＿ｍのディスプレイに表示する。
ステップＳＴ２８：
懸賞サービス提供サーバ４は、懸賞応募者の電子メールアドレスを、その懸賞商品の応募者リストに登録する。
【００２４】
ステップＳＴ２９：
懸賞サービス提供サーバ４は、検証期間が経過したか否かを検討し、経過したと判断するとステップＳＴ３０に進み、そうでない場合には処理を終了する。
ステップＳＴ３０：
懸賞サービス提供サーバ４は、懸賞商品の応募者リストのなかから、予め決められた当選件数の応募者を選定する。
ステップＳＴ３１：
懸賞サービス提供サーバ４は、当選者の電子メールアドレス、住所、名前等の情報を出品者に送信する。
【００２５】
以下、懸賞出品者が懸賞出品者ＰＣ６＿１〜６＿ｎのディスプレイ上で見ることができる画面について説明する。
懸賞サービス提供サーバ４は、懸賞出品者ＰＣ６＿１〜６＿ｎからのアクセスに応じて、図９に示すように、「出品一覧」、「出品する」、「入金」、「アドレス購入画面  購入済みアドレスダウンロード」、「登録内容変更」、「入札制ランキング画面」を指定できる画面を表示する。懸賞出品者は、これらを指定することで、それぞれに対応した内容の情報を取得できる。
【００２６】
また、懸賞サービス提供サーバ４は、懸賞出品者ＰＣ６＿１〜６＿ｎによって図９に示す「出品一覧」が指定されると、図１０に示す画面を表示する。
図１０に示す画面は、懸賞出品者の各出品についての応募数、ページビュー、懸賞期限までの残り時間等が表示される。
【００２７】
［追加アドレス請求］
図１１は、追加アドレスを購入する際の懸賞サービス提供サーバ４の処理を説明するためのフローチャートである。
ステップＳＴ４１：
当選処理を終了した懸賞品の懸賞出品者が、懸賞出品者ＰＣ６＿１〜６＿ｎを操作して、ネットワーク９を介して追加アドレス要求を懸賞サービス提供サーバ４にアクセスを行う。
【００２８】
ステップＳＴ４２：
懸賞サービス提供サーバ４は、懸賞出品者ＰＣ６＿１〜６＿ｎから追加アドレス要求を受けると、図１２に示す追加アドレス購入画面を懸賞出品者ＰＣ６＿１〜６＿ｎのディスプレイに表示させる。
懸賞出品者は、懸賞出品者ＰＣ６＿１〜６＿ｎのディスプレイに表示された図１２に示す追加アドレス購入画面で、購入しようとするアドレス数等を入力する。当該アドレス数は任意である。
【００２９】
ステップＳＴ４３：
懸賞サービス提供サーバ４は、追加アドレス購入の課金処理を行う。
ステップＳＴ４４：
懸賞サービス提供サーバ４は、ステップＳＴ４２で入力されたアドレス数の電子メールアドレス等に応じて図１３に示す追加アドレスダウンロード画面を懸賞出品者ＰＣ６＿１〜６＿ｎのディスプレイに表示する。
懸賞出品者は、ダウンロード可能な追加ドレスの項目をクリックする。これに応じて懸賞サービス提供サーバ４が、追加ドレスを懸賞出品者ＰＣ６＿１〜６＿ｎに送信する。
【００３０】
以上説明したように、懸賞サービス提供サーバ４によれば、懸賞出品者は登録時および出品時ではなく懸賞終了後に懸賞応募者の電子メールアドレスを購入するため、出品時に費用を支払う必要なない。そのため、従来に比べて懸賞に出品する際の負担を軽減できる。
また、懸賞サービス提供サーバ４によれば、懸賞出品者は、購入する懸賞応募者のアドレス数を指定できるため、購入のための費用を抑えることが可能になる。
【００３１】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
また、上述した実施形態では、懸賞出品者および懸賞応募者がＰＣを使う場合を例示したが、携帯電話等の携帯端末装置で同様の操作を行ってもよい。
【産業上の利用可能性】
【００３２】
本発明は、アフィリエイト報酬等を管理するシステムに適用可能である。
【図面の簡単な説明】
【００３３】
【図１】図１は、本発明の実施形態に係るネットワークシステムの全体構成図である。
【図２】図２は、図１に示す懸賞サービス提供サーバ４の構成図である。
【図３】図３は、出品者新規登録画面を説明するための図である。
【図４】図４は、懸賞出品処理を説明するためのフローチャートである。
【図５】図５は、出品者のログイン画面を説明するための図である。
【図６】図６は、出品商品登録画面を説明するための図である。
【図７】図７は、懸賞応募時の懸賞サービス提供サーバの処理を説明するためのフローチャートである。
【図８】図８は、懸賞応募時の懸賞サービス提供サーバの処理を説明するための図７の続きのフローチャートである。
【図９】図９は、懸賞出品者に提供する画面を説明するための図である。
【図１０】図１０は、懸賞出品者に提供するその他の画面を説明するための図である。
【図１１】図１１は、追加アドレスを購入する際の懸賞サービス提供サーバの処理を説明するためのフローチャートである。
【図１２】図１２は、懸賞出品者が懸賞応募者のアドレスを購入するときに表示される画面を説明するための図である。
【符号の説明】
【００３４】
４…懸賞サービス提供サーバ
６＿１〜６＿ｎ…懸賞出品者ＰＣ
８＿１〜８＿ｍ…懸賞応募者ＰＣ
９…ネットワーク
２１…インタフェース
２３…ディスプレイ
２５…操作部
２７…ＨＤＤ
３１…ＣＰＵ
【図１】
2011100406.tif 000003
【図２】
2011100406.tif 000004
【図３】
2011100406.tif 000005
【図４】
2011100406.tif 000006
【図５】
2011100406.tif 000007
【図６】
2011100406.tif 000008
【図７】
2011100406.tif 000009
【図８】
2011100406.tif 000010
【図９】
2011100406.tif 000011
【図１０】
2011100406.tif 000012
【図１１】
2011100406.tif 000013
【図１２】
2011100406.tif 000014
【図１３】
2011100406.tif 000015
【手続補正書】
【提出日】平成21年11月16日(2009.11.16)
【手続補正１】
【補正対象書類名】明細書
【補正対象項目名】００３３
【補正方法】変更
【補正の内容】
【００３３】
【図１】図１は、本発明の実施形態に係るネットワークシステムの全体構成図である。
【図２】図２は、図１に示す懸賞サービス提供サーバ４の構成図である。
【図３】図３は、出品者新規登録画面を説明するための図である。
【図４】図４は、懸賞出品処理を説明するためのフローチャートである。
【図５】図５は、出品者のログイン画面を説明するための図である。
【図６】図６は、出品商品登録画面を説明するための図である。
【図７】図７は、懸賞応募時の懸賞サービス提供サーバの処理を説明するためのフローチャートである。
【図８】図８は、懸賞応募時の懸賞サービス提供サーバの処理を説明するための図７の続きのフローチャートである。
【図９】図９は、懸賞出品者に提供する画面を説明するための図である。
【図１０】図１０は、懸賞出品者に提供するその他の画面を説明するための図である。
【図１１】図１１は、追加アドレスを購入する際の懸賞サービス提供サーバの処理を説明するためのフローチャートである。
【図１２】図１２は、懸賞出品者が懸賞応募者のアドレスを購入するときに表示される画面を説明するための図である。
【図１３】図１３は、現在のポイントを示す画面表示を説明するための図である。